(57)【要約】【課題】動態画像を撮影する放射線画像撮影システムにおいて放射線照射装置のジェネレーターとして安価なジェネレーターを用いた場合でも、高価な放射線照射装置と同程度に精度の良い画像データを得ることができ、かつ、フレーム画像を安定して得ることが可能な放射線画像撮影システムを提供する。【解決手段】放射線画像撮影システム１００は、スリット状の開口部５２ａを有する遮蔽部材５２を備える放射線照射装置５０と、放射線検出部６０とを備え、放射線照射装置５０は、ジェネレーター５４によって放射線源５１から放射線を照射させ続けるとともに、スキャン装置５３で遮蔽部材５２のスリット状の開口部５２ａを繰り返し移動させて、放射線Ｘのスキャンを所定の周期で繰り返し行わせ、放射線検出部６０は、放射線Ｘがスキャンされて照射されるごとに複数の放射線検出素子７から画像データＤを読み出す画像データＤの読み出し処理を行う。【選択図】図１
2017074159.tif 000002
【特許請求の範囲】
【請求項１】
放射線を照射する放射線源と、
前記放射線源からの放射線の照射を制御するジェネレーターと、
前記放射線源から照射される放射線の照射方向に配置され、前記放射線の照射方向に略直交する第１方向に延在するスリット状の開口部で放射線を通過させ、前記スリット状の開口部以外の部分では放射線を遮蔽する遮蔽部材と、
前記遮蔽部材の前記スリット状の開口部を、前記放射線の照射方向に略直交する第２方向に移動させて放射線を前記第２方向にスキャンさせるスキャン装置と、
を備える放射線照射装置と、
被写体を透過した放射線をその強度に応じた電気信号に変換する複数の放射線検出素子が二次元状に配列されており、複数の前記放射線検出素子からの電気信号を画像データとしてそれぞれ読み出す放射線検出部と、
を備え、
前記放射線照射装置は、前記ジェネレーターによって前記放射線源から放射線を照射させ続けるとともに、前記スキャン装置で前記遮蔽部材の前記スリット状の開口部を前記第２方向に繰り返し移動させて、放射線の前記第２方向へのスキャンを所定の周期で繰り返し行わせ、
前記放射線検出部は、被写体を介して放射線がスキャンされて照射されるごとに前記複数の放射線検出素子から前記画像データを読み出す画像データの読み出し処理を行うことを特徴とする放射線画像撮影システム。
【請求項２】
前記放射線照射装置の前記遮蔽部材は、前記放射線源から照射される放射線を絞って放射線の照射野を規定するコリメーターで構成されていることを特徴とする請求項１に記載の放射線画像撮影システム。
【請求項３】
前記放射線検出部は、二次元状に配列された前記放射線検出素子から前記画像データを読み出す際、前記画像データを読み出す前記放射線検出素子の各行を前記第２方向にシフトさせながら前記画像データを読み出すことを特徴とする請求項１または請求項２に記載の放射線画像撮影システム。
【請求項４】
前記放射線検出部は、スキャンされる放射線が、一の前記放射線検出素子に照射されて照射が終了した後、他の前記放射線検出素子に照射されている間に、前記一の放射線検出素子から前記画像データを読み出すようにして、放射線がスキャンされて照射されるごとに前記画像データの読み出し処理を行うことを特徴とする請求項３に記載の放射線画像撮影システム。
【請求項５】
前記放射線検出部は、複数の前記放射線検出素子に対する放射線の１回のスキャンが終了した後、複数の前記放射線検出素子からそれぞれ前記画像データを読み出すようにして、放射線がスキャンされて照射されるごとに前記画像データの読み出し処理を行うことを特徴とする請求項１から請求項３のいずれか一項に記載の放射線画像撮影システム。
【発明の詳細な説明】
【技術分野】
【０００１】
本発明は、放射線画像撮影システムに係り、患者の胸部に放射線を複数回照射して肺野等の動態画像を撮影する放射線画像撮影システムに関する。
【背景技術】
【０００２】
近年、放射線画像撮影装置（Flat Panel Detector）が種々開発されている。放射線画像撮影装置では、後述する図２に示すように、複数の放射線検出素子７が二次元状（マトリクス状）に配列されており、放射線照射装置から照射され被写体を透過した放射線を各放射線検出素子７でその強度に応じて電気信号に変換し、読み出し回路１７で電気信号を画像データＤとして読み出すように構成されている。
【０００３】
そして、このような放射線画像撮影装置では、読み出した画像データＤを装置に内蔵されている記憶手段２３に保存しておくことができるため、撮影ごとに放射線画像撮影装置から画像データＤを外部装置に読み出す必要がなく、放射線画像撮影装置に放射線を繰り返し照射して撮影を行うことができる。
【０００４】
そのため、従来の銀塩フィルムや輝尽性蛍光体シート等では、放射線を繰り返し照射して撮影を行うと二重露光（或いは多重露光）の問題が生じてしまうが、放射線画像撮影装置ではこのような問題を生じることなく、被写体の検査対象部位（例えば胸部等）に放射線を複数回照射して検査対象（例えば肺野等）の動態を撮影することができる。そして、医師が撮影された動態画像を再生して読影することで、検査対象の動きを把握してその部位に病気があるかないか等を診断することが可能となる。
【０００５】
このような動態撮影は、以下の２通りの撮影方法のうちのいずれかの方法で撮影が行われるように構成される場合が多い。
【０００６】
すなわち、例えば図１１に示すように、放射線照射装置から放射線をパルス状に複数回照射するように構成される場合がある（例えば特許文献１、２等参照）。なお、図１１と後述する図１２で斜線は放射線が照射されている期間を表す。
【０００７】
この場合、放射線画像撮影装置は、放射線が照射されるタイミングでは、走査駆動手段１５のゲートドライバー１５ｂ（後述する図２参照）から走査線５の各ラインＬ１〜Ｌｘにオフ電圧を印加させて、各走査線５に接続されているスイッチ素子である薄膜トランジスター（Thin Film Transistor。以下、ＴＦＴという。）８を全てオフ状態にして、放射線の照射が各放射線検出素子７で変換されて発生した電気信号（電荷）を各放射線検出素子７内に蓄積させる（電荷蓄積状態）。
【０００８】
そして、その後、ゲートドライバー１５ｂから走査線５の各ラインＬ１〜Ｌｘにオン電圧を順次印加させて、各放射線検出素子７から電気信号を順次読み出し、読み出し回路１７で電気信号を画像データＤとして読み出す。そして、電荷蓄積状態への移行と画像データＤの読み出し処理とを、放射線がパルス状に照射されるごとに繰り返して行うように構成される場合がある。なお、以下、説明を簡単にするため、このようにして行われる動態撮影を、パルス照射方式という。
【０００９】
また、動態撮影の他の仕方としては、例えば図１２に示すように、放射線照射装置から放射線を照射し続けるように構成される場合もある。そして、この場合、放射線画像撮影装置において、ゲートドライバー１５ｂから走査線５の各ラインＬ１〜Ｌｘにオン電圧を順次印加する期間を１フレームとすると、放射線画像撮影装置は、放射線が照射されている間、ゲートドライバー１５ｂから走査線５の各ラインＬ１〜Ｌｘにオン電圧を順次印加させて画像データＤを読み出す画像データＤの読み出し処理を各フレームごとに繰り返し行うように構成される場合がある。
【００１０】
なお、以下、説明を簡単にするため、このようにして行われる動態撮影を、連続照射方式という。なお、特許文献１には「画像データを連続的に取得する」等の記載があるが、これは本願で言うところのフレームごとに画像データＤを読み出すことに相当するものであり、特許文献２には「パルス状の放射線を連続照射し」等の記載があるが、これは本願では放射線で言うところのパルス状に複数回照射することに相当する。
【００１１】
すなわち、いずれも「連続」という文言が用いられているが、これらは「繰り返して行うこと」を意味するのに対し、本願で「連続照射方式」と言う場合の「連続」は「放射線照射装置が放射線を照射し続けるようにして動態撮影を行うこと」を意味するものであり、図１２に示したようにして動態撮影を行う方式を表すものである。このように、以下の説明で用いる「連続」と特許文献１、２における「連続」とは意味合いが異なる。
【００１２】
パルス照射方式では、被写体に対する短期間の放射線の照射が繰り返されるのに対し、連続照射方式では放射線照射装置から被写体に放射線が照射され続ける状態になる。そのため、通常、連続照射方式では、被写体である患者の被曝線量を抑えるため、照射する放射線の線量率（すなわち単位時間あたりの線量）を低く設定し、いわば放射線照射装置から弱い放射線を照射するのに対し、パルス照射方式では、各回の放射線の照射期間が短いため、連続照射方式の場合よりも高い線量率の放射線（すなわちいわゆる強い放射線）を照射するように構成される。
【００１３】
なお、図１１に示した場合、放射線を照射するごとに行われる画像データＤの読み出し処理が、図１２に示した１フレームごとの画像データＤの読み出し処理に相当する。また、図１１や図１２に示したようにして各フレームで読み出された画像データＤに基づいて生成される放射線画像を、以下、フレーム画像という。すなわち、動態画像は複数枚のフレーム画像で構成される。
【先行技術文献】
【特許文献】
【００１４】
【特許文献１】特開２００４−３１２４３４号公報
【特許文献２】国際公開第２００９／０９０８９４号
【発明の概要】
【発明が解決しようとする課題】
【００１５】
ところで、前述した放射線照射装置の放射線源からの放射線の照射を制御するジェネレーター（放射線発生装置等ともいう。）として高価で優れた性能を有するジェネレーターを用いると、パルス照射方式（図１１参照）の動態撮影で放射線源から放射線をパルス状に照射する場合、図１３（Ａ）に示すように、放射線の照射開始時に、放射線の線量率ｄｒが設定された線量率ｄｒ１に瞬時に立ち上がる。また、連続照射方式（図１２参照）の動態撮影で、放射線源から低い線量率の放射線を連続的に照射する（すなわち照射させ続ける）場合には、図１３（Ｂ）に示すように、線量率ｄｒを設定値ｄｒ２に一定に保った状態で放射線を照射することができる。
【００１６】
しかし、放射線照射装置のジェネレーターとして安価なジェネレーターを用いると、パルス照射方式の動態撮影で放射線源から放射線をパルス状に照射する場合、放射線の線量率ｄｒは、放射線の照射開始時に瞬時に立ち上がらずに、図１４（Ａ）に示すように緩慢に増加する等して波形が崩れてしまい、図１３（Ａ）に示したような適切な矩形状の波形にならない場合がある。
【００１７】
そのため、図１３（Ａ）に示した高価なジェネレーターでは、放射線源からの放射線の１回の照射あたりの線量が、設定された線量ｄｒ１×Δｔになるのに対し、図１４（Ａ）に示した安価なジェネレーターでは、放射線の１回の照射あたりの線量が設定された線量ｄｒ１×Δｔより小さくなってしまい、高価なジェネレーターほど精度の良い画像データＤが得られなくなる場合がある。
【００１８】
その点、連続照射方式の場合は、上記のパルス照射方式の場合とは異なり、動態撮影の撮影開始時に放射線の線量率ｄｒが一旦立ち上がった後は、放射線照射装置から放射線が照射され続けるため、放射線の線量率ｄｒが立ち上がった状態のままとなる。すなわち、連続照射方式の場合には、パルス照射方式のようにフレームごとに放射線の線量率ｄｒが立ち上がるという現象は生じない。そのため、連続照射方式を採用すれば、上記のパルス照射方式における放射線の線量率ｄｒの立ち上がりの際の波形の崩れ等の問題は回避できる。
【００１９】
しかし、放射線照射装置のジェネレーターとして安価なジェネレーターを用いると、連続照射方式の動態撮影で放射線源から線量率が低い放射線を連続的に照射する場合、図１４（Ｂ）に示すように、照射される放射線の線量率ｄｒが無視できない大きさで時間的に揺らぐ場合がある。そして、このように照射される放射線の線量率ｄｒが時間的に揺らぐと、各放射線検出素子７から読み出される画像データＤの値が安定しなくなる。
【００２０】
すなわち、図１２に示したように各フレームごとに読み出される画像データＤの値が全体的に大きくなったり小さくなったりする。また、同じフレーム画像でも、走査線５の各ラインＬ１〜Ｌｘごとに画像データＤの値が大きくなったり小さくなったりする可能性があり、読み出される画像データＤや、それに基づいて生成されるフレーム画像を安定して得ることができなくなる場合がある。
【００２１】
このように、動態画像を撮影する放射線画像撮影システムにおいて、放射線照射装置のジェネレーターとして安価なジェネレーターを用いる場合には、上記のように連続照射方式を採用して放射線照射装置から放射線を照射し続けるように構成すれば放射線の線量率ｄｒの立ち上がりの際の波形の崩れ等の問題を回避することができるが、安価なジェネレーターでは、放射線源から線量率が低い放射線を連続的に照射する際に放射線の線量率ｄｒが安定しない。
【００２２】
そのため、放射線照射装置のジェネレーターとして安価なジェネレーターを用いて連続照射方式で動態撮影を行った場合には、照射される放射線の線量率が時間的に揺らぐために、動態画像を構成する各フレーム画像を安定して得ることができなくなる場合が生じ得るといった問題があった。
【００２３】
本発明は、上記の問題点を鑑みてなされたものであり、動態画像を撮影する放射線画像撮影システムにおいて、放射線照射装置のジェネレーターとして安価なジェネレーターを用いた場合でも、高価なジェネレーターと同程度に精度の良い画像データを得ることができ、かつ、フレーム画像を安定して得ることが可能な放射線画像撮影システムを提供することを目的とする。
【課題を解決するための手段】
【００２４】
前記の問題を解決するために、本発明の放射線画像撮影システムは、
放射線を照射する放射線源と、
前記放射線源からの放射線の照射を制御するジェネレーターと、
前記放射線源から照射される放射線の照射方向に配置され、前記放射線の照射方向に略直交する第１方向に延在するスリット状の開口部で放射線を通過させ、前記スリット状の開口部以外の部分では放射線を遮蔽する遮蔽部材と、
前記遮蔽部材の前記スリット状の開口部を、前記放射線の照射方向に略直交する第２方向に移動させて放射線を前記第２方向にスキャンさせるスキャン装置と、
を備える放射線照射装置と、
被写体を透過した放射線をその強度に応じた電気信号に変換する複数の放射線検出素子が二次元状に配列されており、複数の前記放射線検出素子からの電気信号を画像データとしてそれぞれ読み出す放射線検出部と、
を備え、
前記放射線照射装置は、前記ジェネレーターによって前記放射線源から放射線を照射させ続けるとともに、前記スキャン装置で前記遮蔽部材の前記スリット状の開口部を前記第２方向に繰り返し移動させて、放射線の前記第２方向へのスキャンを所定の周期で繰り返し行わせ、
前記放射線検出部は、被写体を介して放射線がスキャンされて照射されるごとに前記複数の放射線検出素子から前記画像データを読み出す画像データの読み出し処理を行うことを特徴とする。
【発明の効果】
【００２５】
本発明のような方式の放射線画像撮影システムによれば、動態画像を撮影する放射線画像撮影システムにおいて、放射線照射装置のジェネレーターとして安価なジェネレーターを用いた場合でも、高価なジェネレーターと同程度に精度の良い画像データを得ることができ、かつ、フレーム画像を安定して得ることが可能となる。
【図面の簡単な説明】
【００２６】
【図１】本実施形態に係る放射線画像撮影システムの構成を表す図である。
【図２】放射線検出部の等価回路を表すブロック図である。
【図３】（Ａ）放射線検出部の構成を表す側面図であり、（Ｂ）コリメーターの構成を表す正面図である。
【図４】放射線がスキャンされると、放射線検出部上で上側の画素から順に下向きに所定の画素幅分ずつ放射線が照射される範囲が移動していくことを説明する図である。
【図５】（Ａ）本実施形態では放射線の１回のスキャンにつき放射線検出部の１画素に１回ずつ放射線が照射される状態になることを表す図であり、（Ｂ）照射される放射線の線量率の波形が矩形状になることを表すグラフである。
【図６】放射線検出部に放射線が照射されるタイミングと画像データが読み出されるタイミングとの関係を表す図である。
【図７】（Ａ）、（Ｂ）遮蔽部材の変形例２の構成を表す図である。
【図８】遮蔽部材の変形例３の構成を表す図である。
【図９】遮蔽部材の変形例４の構成を表す図である。
【図１０】遮蔽部材の変形例５の構成を表す図である。
【図１１】動画撮影で放射線がパルス状に照射される場合に放射線画像撮影装置の各走査線にオン電圧を印加するタイミング等を説明するタイミングチャートである。
【図１２】動画撮影で放射線が照射され続ける場合に放射線画像撮影装置の各走査線にオン電圧を印加するタイミング等を説明するタイミングチャートである。
【図１３】高価な放射線照射装置で（Ａ）放射線をパルス状に照射する場合、および（Ｂ）低い線量率の放射線を照射させ続ける場合の放射線の線量率の時間的推移の例を表すグラフである。
【図１４】安価な放射線照射装置で（Ａ）放射線をパルス状に照射する場合、および（Ｂ）低い線量率の放射線を照射させ続ける場合の放射線の線量率の時間的推移の例を表すグラフである。
【発明を実施するための形態】
【００２７】
以下、本発明に係る放射線画像撮影システムの実施の形態について、図面を参照して説明する。ただし、本発明は図示例のものに限定されるものではない。
【００２８】
なお、以下では、動画撮影が立位で行われる場合について説明するが、動態撮影が臥位で行われる場合についても同様に説明され、本発明は、動態撮影が臥位で行われる場合についても適用される。そして、動態撮影が臥位で行われる場合、以下の説明における上下方向（ｚ方向）は「被写体の体軸方向」と読み替えられ、左右方向（ｙ方向）は「被写体の体軸方向に直交する方向」と読み替えられる。
【００２９】
［放射線画像撮影システムの構成について］
図１は、本実施形態に係る放射線画像撮影システムの全体構成を表す図である。本実施形態では、放射線画像撮影システム１００は、図１に示すように、放射線照射装置５０から被写体Ｈを介して放射線検出部６０に放射線Ｘを照射して被写体Ｈの動態撮影を行うように構成されている。放射線画像撮影システム１００は、放射線照射装置５０と、放射線検出部６０とを備えており、さらにコンソール７０を備えている。
【００３０】
本実施形態では、放射線照射装置５０は、放射線Ｘを、上下方向（ｚ方向）には非常に狭く、左右方向（ｙ方向）に広い状態で被写体Ｈに照射し、さらに、放射線Ｘを上下方向（ｚ方向。例えば上側から下向き）にスキャンさせて照射することができるように構成されているが、この点については後で詳しく説明する。
【００３１】
また、放射線照射装置５０は、後述する放射線源からの放射線の照射を制御するジェネレーター５４（図１参照）を備えており、ジェネレーター５４は、管電圧や管電流、照射時間等が設定されると、それに応じた強度と照射時間で放射線照射装置５０から放射線Ｘを照射させる等して、放射線源５１からの放射線の照射を制御するようになっている。
【００３２】
放射線検出部６０は、本実施形態では、撮影台６１のカセッテホルダー６２に可搬型（カセッテ型等ともいう。）の放射線画像撮影装置Ｆが装填されて構成されているが、例えば、カセッテホルダー６２と放射線画像撮影装置Ｆとが一体的に形成された専用機型の放射線検出部として構成することも可能である。なお、以下では、放射線検出部６０と放射線画像撮影装置Ｆとを区別せずに、放射線検出部６０として説明する。
【００３３】
［放射線検出部の構成について］
ここで、放射線検出部６０の構成等について説明する。図２は、放射線検出部（放射線画像撮影装置Ｆ）の等価回路を表すブロック図である。図２に示すように、放射線検出部６０には、図示しないセンサー基板上に複数の放射線検出素子７が二次元状（マトリクス状）に配列されている。なお、以下、放射線検出素子７を画素という場合がある。そして、各放射線検出素子７は、照射された放射線をその強度に応じた電気信号（電荷）に変換するようになっている。
【００３４】
また、各放射線検出素子７には、バイアス線９が接続されており、バイアス線９は結線１０に接続されている。そして、結線１０はバイアス電源１４に接続されており、バイアス電源１４からバイアス線９等を介して各放射線検出素子７に逆バイアス電圧が印加されるようになっている。
【００３５】
各放射線検出素子７には、ＴＦＴ８がスイッチ素子として接続されており、ＴＦＴ８は信号線６に接続されている。また、走査駆動手段１５では、配線１５ｃを介して電源回路１５ａから供給されたオン電圧とオフ電圧がゲートドライバー１５ｂで切り替えられて走査線５の各ラインＬ１〜Ｌｘに印加されるようになっている。
【００３６】
そして、各ＴＦＴ８は、走査線５を介してオフ電圧が印加されるとオフ状態になって、放射線検出素子７と信号線６との導通を遮断して、放射線検出素子７内で発生した電荷を放射線検出素子７内に蓄積させ、また、走査線５を介してオン電圧が印加されるとオン状態になって、放射線検出素子７内に蓄積された電荷を信号線６に放出させる。また、読み出しＩＣ１６内には複数の読み出し回路１７が設けられており、各信号線６は、それぞれ読み出し回路１７に接続されている。
【００３７】
制御手段２２は、図示しないＣＰＵ（Central Processing Unit）やＲＯＭ（Read Only Memory）、ＲＡＭ（Random Access Memory）、入出力インターフェース等がバスに接続されたコンピューターや、ＦＰＧＡ（Field Programmable Gate Array）等で構成されている。専用の制御回路で構成されていてもよい。
【００３８】
制御手段２２には、ＳＲＡＭ（Static ＲＡＭ）やＳＤＲＡＭ（Synchronous ＤＲＡＭ）、ＮＡＮＤ型フラッシュメモリー等で構成される記憶手段２３が接続されており、また、アンテナ２９やコネクター２７を介して外部と無線方式や有線方式で通信を行う通信部３０が接続されている。また、制御手段２２には、前述した走査駆動手段１５や読み出し回路１７、記憶手段２３、バイアス電源１４等が接続されている。なお、図２では、放射線検出部６０が内蔵電源２４を有している場合が示されているが、外部から電力の供給を受けるように構成することも可能である。
【００３９】
そして、制御手段２２は、画像データＤの読み出し処理の際には、画像データＤの読み出し処理の際には、走査駆動手段１５や読み出し回路１７等の動作を制御して、各放射線検出素子７からの画像データＤの読み出し処理を行わせるようになっている。
【００４０】
すなわち、制御手段２２は、上記のように、走査駆動手段１５のゲートドライバー１５ｂから走査線５の各ラインＬ１〜Ｌｘにオン電圧を順次印加させて、各ＴＦＴ８を順次オン状態にする。すると、放射線検出素子７から電荷（すなわち電気信号）がＴＦＴ８を介して信号線６に放出され、電荷は信号線６を通って読み出し回路１７に流れ込む。そして、増幅回路１８では流れ込んだ電荷の量に応じた電圧値が出力される。
【００４１】
そして、相関二重サンプリング回路（図２では「ＣＤＳ」と記載されている。）１９は、増幅回路１８から出力された電圧値をアナログ値の画像データＤとして読み出して下流側に出力し、出力された画像データＤはアナログマルチプレクサー２１を介してＡ／Ｄ変換器２０に順次送信され、Ａ／Ｄ変換器２０でデジタル値の画像データＤに順次変換されて記憶手段２３に順次保存されるようになっている。
【００４２】
このようにして、放射線検出部６０は、被写体Ｈを透過した放射線を、各放射線検出素子７でその強度に応じた電気信号に変換し、読み出し回路１７で電気信号を画像データＤとして読み出すと、上記のように記憶手段２３に一旦保存し、動態撮影が終了した後、或いは画像データＤの読み出し処理を行うごとに、画像データＤをコンソール７０に転送するようになっている。
【００４３】
そして、放射線検出部６０は、被写体Ｈ（図１参照）を介して、上記のように放射線Ｘが上下方向（ｚ方向。例えば上側から下向き）にスキャンされて照射されるごとに、上記の画像データＤの読み出し処理を行うようになっている。この点については後で詳しく説明する。
【００４４】
なお、図１では、放射線検出部６０とコンソール７０とがケーブル等で接続され、それらの間の画像データＤの転送や信号等の送受信が有線方式で行われる場合が示されているが放射線検出部６０（或いは放射線画像撮影装置Ｆ）とコンソール７０との間のデータや信号等の送受信を無線方式で行うように構成することも可能である。
【００４５】
［コンソールの構成について］
【００４６】
本実施形態では、コンソール７０は、図示しないＣＰＵやＲＯＭ、ＲＡＭ、入出力インターフェース等がバスに接続されて構成されるコンピューターや、専用の制御装置として構成されている。そして、放射線照射装置５０から放射線が複数回照射されて被写体Ｈの動態撮影が行われ、放射線検出部６０から読み出された画像データＤが転送されてくると、コンソール７０は、転送されてきた画像データＤに対して所定の画像処理を施して複数の放射線画像（すなわち動態画像を構成する各フレーム画像）を生成するようになっている。
【００４７】
また、コンソール７０は、放射線検出部６０の撮影モード（すなわち覚醒モードやスリープモード）を遷移させたり放射線検出部６０に動態撮影を行う旨の指示を送信して所定のタイミングで画像データＤの読み出し処理を所定回数だけ行わせる等して放射線検出部６０を制御したり、或いは、放射線照射装置５０と放射線検出部６０との間の信号等の送受信を中継したりするようになっている。
【００４８】
なお、本実施形態の放射線検出部６０における画像データＤの読み出し処理の仕方等については、後で説明する。また、前述した放射線照射装置５０のジェネレーター５４（図１参照）に対する管電圧や管電流、照射時間等の設定操作をコンソール７０上で行うことができるように構成することも可能であり、また、設定された管電圧や管電流、照射時間等をコンソール７０上で修正したり微調整したりすることができるように構成するなど、コンソール７０上で種々の操作を行うことができるように構成することも可能である。
【００４９】
［放射線照射装置の構成について］
前述したように、本実施形態では、放射線照射装置５０は、放射線Ｘを、上下方向（ｚ方向。第２方向）には非常に狭く、左右方向（ｙ方向。第１方向）に広い状態で被写体Ｈに照射し、さらに、放射線Ｘを例えば上側から下向き（或いは下側から上向きでもよい。）にスキャンさせて照射することができるように構成されている。以下、具体的に説明する。
【００５０】
本実施形態では、放射線照射装置５０は、図３（Ａ）に示すように、被写体Ｈに照射する放射線を発生させる図示しない回転陽極等からなる放射線源５１と、放射線源５１から照射される放射線を絞って放射線の照射野を規定するコリメーター５２と、コリメーター５２の絞り具合を調整するとともにコリメーター５２を上下方向（ｚ方向）に移動させる移動装置５３等を備えている。
【００５１】
コリメーター５２は、放射線源５１から照射される放射線Ｘの照射方向（ｘ方向）に配置されており、図３（Ｂ）に示すように、上遮蔽羽根５２Ａと下遮蔽羽根５２Ｂ、左遮蔽羽根５２Ｃ、右遮蔽羽根５２Ｄを備えている。そして、移動装置５３（図３（Ａ）参照）は、コリメーター５２の上下左右の遮蔽羽根５２Ａ〜５２Ｄをそれぞれ図示しないレールに沿って移動させて（すなわち上下の遮蔽羽根５２Ａ、５２Ｂを上下方向に、左右の遮蔽羽根５２Ｃ、５２Ｄを左右方向にそれぞれ移動させて）、放射線Ｘの照射方向（ｘ方向）に略直交する左右方向（ｙ方向）に延在するスリット状の開口部５２ａを形成するようになっている。
【００５２】
このように、本実施形態では、コリメーター５２が、放射線Ｘの照射方向（ｘ方向）に略直交する左右方向（ｙ方向）に延在するスリット状の開口部５２ａで放射線Ｘを通過させ、開口部５２ａ以外の部分（すなわち上下左右の遮蔽羽根５２Ａ〜５２Ｄ）で放射線Ｘを遮蔽する遮蔽部材として機能するようになっている。なお、以下でも同様であるが、「略直交する」とは、一方の方向が他方の方向に対して厳密に直交することまで要求されるものではないことを表している。
【００５３】
また、この場合、コリメーター５２のスリット状の開口部５２ａの上下方向（ｚ方向）の幅が、スリット状の開口部５２ａを通過した放射線Ｘの放射線検出部６０上での上下方向の幅が１画素から数画素程度の所定の画素幅になるように、移動装置５３により上遮蔽羽根５２Ａと下遮蔽羽根５２Ｂとの移動量がそれぞれ調整される。なお、左遮蔽羽根５２Ｃと右遮蔽羽根５２Ｄとの幅は、スリット状の開口部５２ａを通過した放射線Ｘの放射線検出部６０上での左右方向（ｙ方向）の幅が放射線検出部６０の横幅等の幅になるように、移動装置５３により左遮蔽羽根５２Ｃと右遮蔽羽根５２Ｄとの移動量がそれぞれ調整される。
【００５４】
また、移動装置５３は、コリメーター５２（遮蔽部材）の上遮蔽羽根５２Ａと下遮蔽羽根５２Ｂを、放射線Ｘの照射方向に略直交する上下方向（ｚ方向）に移動させるようになっており、上遮蔽羽根５２Ａと下遮蔽羽根５２Ｂを上下方向に移動させてスリット状の開口部５２ａを上下方向に移動させることで、放射線Ｘを上下方向（特に上側から下向き）にスキャンさせるスキャン装置として機能するようになっている。
【００５５】
［本発明に特有の構成について］
以下、本発明に特有の構成について説明する。また、本実施形態に係る放射線画像撮影システム１００の作用についてもあわせて説明する。
【００５６】
本実施形態では、放射線照射装置５０のジェネレーター５４（図１参照）は、動態撮影が開始されてから終了するまでの間（例えば１５秒等の間）、放射線源５１から放射線を照射させ続けるようになっている。また、それとともに、スキャン装置としての移動装置５３は、遮蔽部材であるコリメーター５２の上遮蔽羽根５２Ａと下遮蔽羽根５２Ｂとを上下方向に繰り返し移動させることでスリット状の開口部５２ａを上下方向に繰り返し移動させて、上下方向への放射線Ｘのスキャンを所定の周期（例えば１秒間に１０回や３０回等の周期）で繰り返し行わせるようになっている。
【００５７】
このように構成すると、前述したようにコリメーター５２のスリット状の開口部５２ａの上下方向（ｚ方向）の幅が、スリット状の開口部５２ａを通過した放射線Ｘの放射線検出部６０上での上下方向の幅が１画素から数画素程度の所定の画素幅になるように調整されているため、放射線Ｘの上側から下側へのスキャンが１回行われる際に、放射線検出部６０（図１参照）上では、図４に示すように、上側の画素から順に下向きに所定の画素幅分ずつ放射線Ｘが照射される範囲が移動していく状態になる。
【００５８】
なお、図４では、斜線部分は放射線検出部６０上に放射線が照射されている部分を表しており、図４におけるＬ１〜Ｌｘは、放射線検出部６０における走査線５の各ラインＬ１〜Ｌｘ（図２参照）にそれぞれ接続されている放射線検出素子７（画素）を表している。また、図４や後述する図６では、上記の所定の画素幅が２画素の画素幅である場合が示されているが、本発明はこの場合に限定されない。さらに、図４等では、図を見やすくするため、１画素の画素幅が、放射線検出部６０の検出領域の上下方向や左右方向の広さ等に比べて極端に広く表現されている。
【００５９】
また、コリメーター５２の上遮蔽羽根５２Ａと下遮蔽羽根５２Ｂが下側から上側に戻る際にスリット状の開口部５２ａが開いていると二重露光等の問題が生じるため、上記のように放射線Ｘを上側から下向きにスキャンさせる場合には、コリメーター５２の上遮蔽羽根５２Ａと下遮蔽羽根５２Ｂが下側から上側に戻る際にはスリット状の開口部５２ａを閉じるように（すなわち放射線Ｘを通過させないように）構成される。なお、コリメーター５２の上遮蔽羽根５２Ａと下遮蔽羽根５２Ｂを下側から上側に戻す際、放射線源５１からの放射線Ｘの照射を停止させたり、別の遮蔽部材で放射線Ｘを遮蔽するように構成することも可能である。
【００６０】
上記のように放射線Ｘを上側から下向きにスキャンさせて、放射線検出部６０上で上側の画素から順に下向きに所定の画素幅分ずつ放射線Ｘが照射される範囲を移動させると（図４参照）、上記のように放射線源５１から動態撮影の開始から終了まで放射線を照射させ続けたとしても、放射線検出部６０の１つの画素（例えばある１本の走査線５のラインＬｎに接続されている放射線検出素子７）について見た場合、図５（Ａ）に示すように、放射線Ｘの１回のスキャンにつき１回ずつ、ある所定の期間τだけ放射線Ｘが照射される状態になる。なお、図５（Ａ）で斜線は放射線が照射されている期間を表す。
【００６１】
そして、図５（Ａ）に示した状態は、図１１と比較して分かるように、放射線検出部６０に放射線Ｘをパルス状に照射したのと同じ状態である。このように、本実施形態では、放射線照射装置５０のジェネレーター５４は、放射線源５１から、上記の連続照射方式（図１２参照）の場合と同様に放射線Ｘを照射させ続けるが、放射線検出部６０に対して放射線Ｘを上側から下向き（或いはその逆。以下同じ。）にスキャンさせることで、放射線源５１から放射線Ｘをパルス状に照射した場合（すなわち上記のパルス照射方式（図１１参照））と同じ状態を作り出すことができる。
【００６２】
そして、このように放射線照射装置５０の放射線源５１から放射線Ｘをパルス状に照射した場合と同じ状態になるのであれば、本実施形態で放射線源５１から放射線Ｘを照射させ続けるように構成する際に、前述した従来の連続照射方式（図１２参照）の場合のように被写体である患者の被曝線量を抑えるために照射する放射線Ｘの線量率ｄｒを低く設定する必要はなく、パルス照射方式の場合と同様の高い線量率ｄｒで放射線Ｘを照射させることができる。
【００６３】
そこで、本実施形態では、放射線照射装置５０のジェネレーター５４は、上記のように、放射線源５１から放射線Ｘを照射させ続けるが、上記の連続照射方式（図１２参照）の場合のように高い線量率ｄｒで放射線Ｘを照射させるようになっている。なお、このように高い線量率ｄｒの放射線Ｘを被写体Ｈに照射しても、放射線Ｘが上下方向にスキャンされるため、患者の身体の１箇所に高い線量率ｄｒの放射線Ｘが照射され続ける状態にはならず、患者の被曝線量が増大することにはならない。
【００６４】
そのため、従来、放射線照射装置５０のジェネレーター５４として安価なジェネレーターを用いて連続照射方式で線量率の低い放射線Ｘを照射させ続ける場合には、図１４（Ｂ）に示したように、照射される放射線の線量率ｄｒが無視できない大きさで時間的に揺らぐ場合があったが、本実施形態では、上記のように、放射線Ｘをパルス状に照射する場合と同様の高い線量率ｄｒで照射する。そのため、ジェネレーター５４として安価なジェネレーターを用いた場合でも、図１３（Ｂ）に示した場合と同様に、放射線Ｘを、線量率ｄｒが一定に保たれた状態で照射することが可能となる。
【００６５】
一方、本実施形態では、上記のように、少なくとも放射線Ｘを上側から下向きにスキャンする間、パルス照射方式のようにパルス状にオン／オフを繰り返すことがなく、上記のように放射線源５１から放射線Ｘが照射される状態が続く（連続照射方式）。図１４（Ａ）に示したように、放射線照射装置５０のジェネレーター５４として安価なジェネレーターを用いた場合でも、時間が経てば線量率ｄｒは上昇して設定値ｄｒ１になる。そして、本実施形態では、上記のように、放射線源５１から放射線Ｘが照射され続ける状態でスキャンされる。
【００６６】
そのため、放射線検出部６０のある画素（すなわち例えば図５（Ａ）に示した走査線５のラインＬｎに接続されている放射線検出素子７）への放射線Ｘの照射が開始された時点で、放射線Ｘはすでに設定値ｄｒ１になっている。そのため、当該画素に放射線Ｘがパルス状に照射される際、図１４（Ａ）に示したように線量率ｄｒが緩慢に増加する等して線量率ｄｒの波形が崩れた状態で放射線Ｘが照射されるのではなく、図１３（Ａ）に示したように当該画素への放射線Ｘの照射開始時点で線量率ｄｒが設定値ｄｒ１に立ち上がった状態で放射線Ｘが照射される。
【００６７】
そのため、本実施形態では、上記のように構成することで、放射線照射装置５０のジェネレーター５４として安価なジェネレーターを用いたとしても、図５（Ｂ）に示すように、放射線検出部６０のある画素への放射線の照射が開始された時点で、放射線の線量率ｄｒが設定された線量率ｄｒ１に立ち上がった状態になる。また、それとともに、当該画素に放射線Ｘが照射される間、線量率ｄｒが揺らぐことなく照射され、波形が適切な矩形状になり、図１３（Ａ）に示した高価なジェネレーターを用いた場合と同様の状態を作り出すことができる。
【００６８】
そのため、本実施形態では、上記のように構成することで、放射線照射装置５０のジェネレーター５４として安価なジェネレーターを用いた場合でも、高価な放射線照射装置を用いた場合（図１３（Ａ）参照）と同様に的確に放射線Ｘを放射線検出部６０の各画素にパルス状に的確に照射することができる。
【００６９】
以上のように、本実施形態では、放射線照射装置５０のジェネレーター５４として安価なジェネレーターを用いた場合でも、放射線照射装置５０の放射線源５１から放射線を照射させ続ける際、従来の連続照射方式の場合のように弱い放射線Ｘではなく、パルス照射方式の場合のように強い放射線Ｘを照射させることで、図５（Ｂ）に示したように、照射される放射線Ｘの線量率ｄｒが揺らがないようにすることが可能となる。
【００７０】
しかも、放射線源５１から照射され続ける放射線Ｘを、上下方向（ｚ方向）の幅を非常に狭くした状態で上下方向にスキャンさせることで、放射線検出部６０の各画素（各放射線検出素子７）に放射線Ｘがパルス状に照射される状態を作り出すことが可能となる。
【００７１】
そして、放射線Ｘを上下方向にスキャンさせる際、放射線Ｘの照射を停止せずに放射線源５１から放射線Ｘを照射させ続けることで、放射線照射装置５０のジェネレーター５４として安価なジェネレーターを用いた場合でも、図５（Ｂ）に示したように、放射線検出部６０の画素への放射線Ｘの照射開始時点で線量率ｄｒが設定値ｄｒ１に立ち上がった状態で放射線Ｘを照射させることが可能となる。
【００７２】
一方、前述したように、放射線検出部６０（図１参照）では、被写体Ｈを介して、上記のように放射線Ｘが上下方向（ｚ方向。例えば上側から下向き）にスキャンされて照射されるごとに、画像データＤの読み出し処理が行われる。そして、この場合、図５（Ａ）に示すように、放射線検出部６０の各画素（例えば走査線５のラインＬｎに接続されている放射線検出素子７）に放射線Ｘが照射された後、走査駆動手段１５のゲートドライバー１５ｂ（図２参照）からオン電圧が印加されて画像データＤの読み出し処理が行われる。
【００７３】
このように構成することで、本実施形態では、放射線照射装置５０のジェネレーター５４として安価なジェネレーターを用いた場合でも、高価なジェネレーターを用いた場合と同様に、放射線検出部６０の各画素（各放射線検出素子７）で精度の良い画像データＤを得ることが可能となる。また、上記のように、放射線検出部６０に照射される放射線Ｘの線量率ｄｒが時間的に揺らがず線量率ｄｒが設定値ｄｒ１に一定に保たれた状態で照射されるため、放射線検出部６０の各画素（各放射線検出素子７）で読み出される画像データＤの値が安定した値になる。
【００７４】
［効果］
以上のように、本実施形態に係る放射線画像撮影システム１００によれば、放射線照射装置５０を、ジェネレーター５４によって放射線源５１から放射線を照射させ続けるとともに、スキャン装置（移動装置５３）で遮蔽部材（コリメーター５２）を上下方向（特に上側から下向き。或いはその逆）に繰り返し移動させ、スリット状の開口部５２ａを上下方向に移動させて、放射線Ｘの上下方向へのスキャンを所定の周期で繰り返し行わせるように構成した。
【００７５】
そのため、動態画像を撮影する放射線画像撮影システム１００において放射線照射装置５０のジェネレーター５４として安価なジェネレーターを用いた場合でも、高価なジェネレーターを用いた場合と同程度に精度の良い画像データＤを得ることが可能となり、かつ、動態画像を構成する各フレーム画像を安定して得ることが可能となる。
【００７６】
［放射線検出部での画像データの読み出し処理について］
前述したように、放射線検出部６０（図１参照）では、被写体Ｈを介して放射線Ｘが上下方向（ｚ方向。例えば上側から下向き）にスキャンされて照射されるごとに、画像データＤの読み出し処理が行われる。その際、図１１や図１２に示した場合と同様に、放射線検出部６０で画像データＤの読み出し処理を行う場合、走査駆動手段１５のゲートドライバー１５ｂ（図２参照）から走査線５の各ラインＬ１〜Ｌｘにオン電圧を順次印加して各放射線検出素子７から画像データＤを順次読み出すように構成することが可能である。
【００７７】
［画像データＤの読み出し方法１］
そして、本実施形態においても、図１１に示した従来のパルス照射方式の場合と同様に、放射線検出部６０は、複数の放射線検出素子７に対する放射線Ｘの上側から下側への１回のスキャンが終了した後、ゲートドライバー１５ｂから走査線５の各ラインＬ１〜Ｌｘにオン電圧を順次印加して、各放射線検出素子７から画像データＤを順次読み出ていくように構成することが可能である。
【００７８】
この場合は、例えば、上記のように遮蔽部材（本実施形態ではコリメーター５２）を上側から下向きに移動させて放射線Ｘを放射線検出部６０の上から下にスキャンさせた後、遮蔽部材を上向きに移動させて戻している間に、放射線検出部６０で、各放射線検出素子７からの画像データＤの読み出し処理を行うように構成することが可能である。
【００７９】
このように構成すれば、本実施形態の場合においても、放射線検出部６０で、従来のパルス照射方式（図１１参照）と同様の処理ルーチンで画像データＤの読み出し処理を行うように構成することが可能となる。
【００８０】
［読み出し方法２］
一方、図４に示したように、例えば走査線５のあるラインＬｎに対して放射線Ｘが照射された後、放射線Ｘの照射が終了してしまえば、走査線５の他のラインＬｍに放射線Ｘが照射されていても、走査線５の当該ラインＬｎに接続されている各放射線検出素子７（画素）からは画像データＤの読み出し処理を行うことができる。
【００８１】
そこで、放射線検出部６０は、例えば、スキャンされる放射線Ｘが、一の放射線検出素子７に照射されて照射が終了した後、他の放射線検出素子７に照射されている間に、当該一の放射線検出素子７から画像データＤを読み出すようにして画像データＤの読み出し処理を行うように構成することも可能である。
【００８２】
すなわち、この場合、例えば図６に示すように、放射線Ｘがスキャンされながら放射線検出部６０に照射され、例えば走査線５のラインＬ３、Ｌ４に放射線Ｘが照射されている時点で、ゲートドライバー１５ｂから、放射線Ｘの照射が終了している走査線５のラインＬ１にオン電圧を印加して、走査線５のラインＬ１に接続されている各放射線検出素子７から画像データＤを読み出す。
【００８３】
そして、放射線Ｘがさらにスキャンされ、例えば走査線５のラインＬ４、Ｌ５に放射線Ｘが照射されている時点で、ゲートドライバー１５ｂから、放射線Ｘの照射が終了している走査線５のラインＬ２にオン電圧を印加して、走査線５のラインＬ２に接続されている各放射線検出素子７から画像データＤを読み出す。
【００８４】
そして、放射線Ｘがさらにスキャンされ、例えば走査線５のラインＬ５、Ｌ６に放射線Ｘが照射されている時点で、ゲートドライバー１５ｂから、放射線Ｘの照射が終了している走査線５のラインＬ３にオン電圧を印加して、走査線５のラインＬ３に接続されている各放射線検出素子７から画像データＤを読み出す。
【００８５】
このようにして、放射線検出部６０に放射線Ｘがスキャンされながら照射されるのと同時並行で、各放射線検出素子７からの画像データＤの読み出し処理を行うように構成することも可能である。
【００８６】
そして、このように構成すれば、放射線Ｘのスキャンが終了すると、その直後に各放射線検出素子７からの画像データＤの読み出し処理も終了するようになるため、放射線Ｘのスキャンが終了し、次のスキャンを開始するまでの時間を短くすることが可能となり、放射線Ｘのスキャンの周期を短くすることが可能となる。
【００８７】
なお、図６では、放射線Ｘが照射されている走査線５（例えば走査線５のラインＬ３、Ｌ４）と画像データＤの読み出し処理を行う走査線５（例えば走査線５のラインＬ１）との間に１本の走査線５（例えば走査線５のラインＬ２）を介在させる状態で、ゲートドライバー１５ｂから走査線５の各ラインＬ１〜Ｌｘにオン電圧を順次印加して画像データＤの読み出し処理を行う場合について示した。
【００８８】
しかし、例えば、放射線Ｘの照射が終了した直後の走査線５（例えば走査線５のラインＬ３、Ｌ４に放射線Ｘが照射されている場合の走査線５のラインＬ２）にオン電圧を印加するようにして画像データＤの読み出し処理を行うように構成することも可能である。或いは、放射線Ｘが照射されている走査線５と画像データＤの読み出し処理を行う走査線５とを、走査線２本分以上介在させる状態で画像データＤの読み出し処理を行うように構成することも可能である。
【００８９】
また、図６や上記の例では、放射線検出部６０に放射線Ｘをスキャンさせて照射する際に放射線Ｘが放射線検出部６０上を上下方向（ｚ方向）に移動する速度と、画像データＤの読み出し処理の際に画像データＤを読み出す放射線検出素子７の各行をシフトさせる速度が同じ速度になるように調整されている場合を示したが、両者の速度は必ずしも同じでなくでもよく、前者の速度が後者の速度より速くなるように構成することも可能である。
【００９０】
［画像データを読み出す放射線検出素子の各行をシフトさせる方向について］
また、上記の［読み出し方法２］では、放射線Ｘをスキャンさせる方向（上記の実施形態では上下方向（ｚ方向））と、放射線検出部６０での画像データＤの読み出し処理の際に画像データＤを読み出す放射線検出素子７の各行をシフトさせる方向、すなわちゲートドライバー１５ｂからオン電圧を印加する走査線５をシフトさせる方向とが同じ方向（上下方向（ｚ方向））であることが前提となる。
【００９１】
すなわち、放射線照射装置５０（図３（Ａ）、（Ｂ）参照）におけるスリット状の開口部５２ａの延在方向（本実施形態では放射線Ｘの照射方向（ｘ方向）に略直交する左右方向（ｙ方向））を第１方向とし、放射線Ｘのスキャン方向（本実施形態ではｚ方向）を放射線Ｘの照射方向（ｘ方向）に略直交する第２方向とするとき、上記の［読み出し方法２］（図６参照）では、放射線検出部６０は、各放射線検出素子７からの画像データＤの読み出し処理において、画像データＤを読み出す放射線検出素子７の各行（すなわち各放射線検出素子７が接続されている各走査線５）を、放射線Ｘのスキャン方向と同じ第２方向にシフトさせながら画像データＤを読み出すように構成される。
【００９２】
一方、上記の［読み出し方法１］の場合には、上記のように放射線照射装置５０から放射線検出部６０への放射線Ｘのスキャン照射が終了した後、放射線検出部６０で各放射線検出素子７からの画像データＤの読み出し処理が行われる。すなわち、放射線照射装置５０からの放射線Ｘのスキャン照射と、放射線検出部６０での画像データＤの読み出し処理とが別のタイミングで行われる。
【００９３】
そのため、放射線検出部６０での画像データＤの読み出し処理の際に画像データＤを読み出す放射線検出素子７の各行（すなわち各走査線５）をシフトさせる方向を、上記のように放射線のスキャン方向（第２方向。ｚ方向）と同じ方向とするように構成することも可能であるが、必ずしも放射線Ｘのスキャン方向（第２方向。ｚ方向）と同じ方向である必要はなく、それと略直交する第１方向（ｙ方向）にシフトさせながら画像データＤを読み出すように構成することも可能である。
【００９４】
また、放射線検出部６０が、各放射線検出素子７のうち、上半分は画像データＤを読み出す放射線検出素子７の各行（すなわち各走査線５）を上向きにシフトさせ、下半分は放射線検出素子７の各行（すなわち各走査線５）を下向きにシフトさせながら画像データＤを読み出すように構成されている場合もある。
【００９５】
そして、このような放射線検出部６０のように上記の［読み出し方法２］（図６参照）のようにして画像データＤの読み出し処理を行うことができない場合は、［読み出し方法１］で説明したように放射線照射装置５０から放射線検出部６０への放射線Ｘのスキャン照射が終了した後、放射線検出部６０で各放射線検出素子７から画像データＤを読み出すようにして画像データＤの読み出し処理を行うように構成することが可能である。
【００９６】
［放射線Ｘをスキャンさせるための構成等について］
本実施形態では、上記のように、放射線照射装置５０に予め備わっているコリメーター５２を遮蔽部材として用いる場合について説明したが、コリメーター５２とは別体の遮蔽部材を放射線照射装置５０に取り付けるように構成することも可能である。
【００９７】
なお、以下では、遮蔽部材を遮蔽部材８０とし、スリット状の開口部を開口部８０ａとし、スキャン装置をスキャン装置８１として説明する。また、以下では、放射線Ｘを上側から下向きにスキャンさせるように構成する場合について説明するが、下側から上向きにスキャンさせたり左右方向（ｙ方向）にスキャンさせるように構成する場合についても同様に説明される。
【００９８】
上記のようにコリメーター５２とは別体の遮蔽部材８０を放射線照射装置５０に取り付けるように構成する場合でも、スリット状の開口部８０ａを有する遮蔽部材８０を、例えば図３（Ａ）、（Ｂ）に示したコリメーター５２と同様に構成し、スキャン装置８１（この場合は図３（Ａ）に示した移動装置５３と同様に構成される。）で遮蔽部材８０を上下方向（ｚ方向）に移動させるようにして、スリット状の開口部８０ａを上下方向に移動させて放射線Ｘをスキャンさせるように構成することが可能である。
【００９９】
［変形例１］
また、その際、遮蔽部材８０をコリメーター５２で構成する場合も同様であるが、遮蔽部材８０に、それを上向きに付勢するバネ等の弾性部材を取り付けておき、放射線Ｘを下向きにスキャンさせる際にはスキャン装置８１で遮蔽部材８０を下向きに移動させ、遮蔽部材８０を下側から上側に移動させて戻す場合は弾性部材の付勢力で上向きに移動させるように構成することも可能である。
【０１００】
［変形例２］
一方、例えば図７（Ａ）、（Ｂ）に示すように、遮蔽部材８０自体をゴム等の伸縮性を有する部材（以下、伸縮部材という。）８０Ａ、８０Ｂで構成することも可能である。伸縮部材８０Ａ、８０Ｂを、例えば蛇腹構造等で構成することも可能である。そして、スリット状の開口部８０ａが形成された部材８０Ｃの上端側と下端側にそれぞれ伸縮部材８０Ａ、８０Ｂを取り付け、上側の伸縮部材８０Ａの上端と下側の伸縮部材８０Ｂの下端をそれぞれ固定する。
【０１０１】
そして、伸縮部材８０Ａ、８０Ｂをそれぞれ伸縮させながら、スキャン装置８１でスリット状の開口部８０ａが形成された部材８０Ｃを上下方向（ｚ方向）に移動させて、放射線源５１から照射された放射線Ｘを上下方向にスキャンさせるように構成することが可能である。
【０１０２】
［変形例３］
また、例えば図８に示すように、遮蔽部材８０を、スリット状の開口部８０ａが形成されたベルト状の部材８０Ｄで構成し、ベルト状の部材８０Ｄを、左右方向（ｙ方向）に延在する上下の２本のローラー８１ａ、８１ｂに架け渡す。そして、２本のローラー８１ａ、８１ｂの一方或いは両方をモーター等で構成されるスキャン装置８１で回転させることで、スリット状の開口部８０ａが上下方向（ｚ方向）に移動するように、ベルト状の部材８０Ｄを往復移動させる。
【０１０３】
このようにして、ベルト状の部材８０Ｄを往復移動させることで、スリット状の開口部８０ａを上下方向（ｚ方向）に移動させて、放射線源５１から照射された放射線Ｘを上下方向にスキャンさせるように構成することが可能である。
【０１０４】
［変形例４］
さらに、上記の変形例３と同様に、遮蔽部材８０をベルト状の部材で構成するが、例えば図９に示すように、スリット状の開口部８０ａが形成された無端のベルト状の部材８０Ｅを複数のローラー８１ｃ〜８１ｆに巻き掛けて、放射線源５１の周囲を取り巻くように構成する。この場合、部材８０Ｅを無端のベルト状とする代わりに円筒状等とすることも可能である。
【０１０５】
そして、複数のローラー８１ｃ〜８１ｆの一つ或いは複数或いは全てをモーター等で構成されるスキャン装置８１で回転させることで、スリット状の開口部８０ａが上下方向（特に上側から下向き）に移動するように、無端のベルト状の部材８０Ｅを周回させる。なお、この場合、無端のベルト状の部材８０Ｅを往復移動させてもよい。
【０１０６】
このようにして、無端のベルト状の部材８０Ｅを周回させたり往復移動させることで、スリット状の開口部８０ａを上下方向（ｚ方向）に移動させて、放射線源５１から照射された放射線Ｘを上下方向（特に上側から下向き）にスキャンさせるように構成することが可能である。
【０１０７】
なお、無端のベルト状の部材８０Ｅを周回させるように構成する場合、図９に示すように、無端のベルト状の部材８０Ｅに、スリット状の開口部８０ａを複数設けるように構成することが可能である。
【０１０８】
［変形例５］
一方、例えば図１０に示すように、遮蔽部材８０を、スリット状の開口部８０ａが形成された円板状の板状部材８０Ｆで構成し、板状部材８０Ｆを、その中心部分に取り付けたモーター等で構成されるスキャン装置８１で回転させる。
【０１０９】
このようにして、板状部材８０Ｆを回転させることで、スリット状の開口部８０ａを上下方向（特に上側から下向き）に移動させて、放射線源５１から照射された放射線Ｘを上下方向（特に上側から下向き）にスキャンさせるように構成することが可能である。
【０１１０】
なお、この場合、板状部材８０Ｆを回転させるとともに、所定のタイミングで上下方向に移動させるように構成することも可能である。また、この変形例５の場合も、図１０に示すように、円板状の板状部材８０Ｆに、スリット状の開口部８０ａを複数設けるように構成することが可能である。
【０１１１】
なお、本発明が上記の実施形態や各変形例等に限定されず、本発明の趣旨を逸脱しない限り、適宜変更可能であることは言うまでもない。
【符号の説明】
【０１１２】
５  走査線（放射線検出素子の行）
７  放射線検出素子
５０  放射線照射装置
５１  放射線源
５２  コリメーター（遮蔽部材）
５２ａ  スリット状の開口部
５３  移動装置（スキャン装置）
５４  ジェネレーター
６０  放射線検出部
８０  遮蔽部材
８０ａ  スリット状の開口部
８１  スキャン装置
１００  放射線画像撮影システム
Ｄ  画像データ
Ｈ  被写体
Ｘ  放射線
ｘ  放射線の照射方向
ｙ  第１方向
ｚ  第２方向
【図１】
2017074159.tif 000003
【図２】
2017074159.tif 000004
【図３】
2017074159.tif 000005
【図４】
2017074159.tif 000006
【図５】
2017074159.tif 000007
【図６】
2017074159.tif 000008
【図７】
2017074159.tif 000009
【図８】
2017074159.tif 000010
【図９】
2017074159.tif 000011
【図１０】
2017074159.tif 000012
【図１１】
2017074159.tif 000013
【図１２】
2017074159.tif 000014
【図１３】
2017074159.tif 000015
【図１４】
2017074159.tif 000016